(57)【要約】【課題】通電状態の電気柵を人が所望の位置で通り抜けようとするときに人が感電することを防止できる感電防止具および感電防止方法を提供する。【解決手段】感電防止具１の金網２を地面に置き、そして、金網２に接続した接続部３のクリップ３Ａを、電気柵９の最下段の電線である第３の電線１１Ｃに取付ける。これにより、第１の電線１１Ａ、第２の電線１１Ｂおよび第３の電線１１Ｃに加えられていた、衝撃電圧は、あまり衝撃を与えないほどの電圧まで低下する。金網２は電線（１１Ａ〜１１Ｃ）の真下に置く。そして、金網２に両足を乗せ、両足が乗った状態であれば、人が電線上に両足で乗った状態と同じ状態になるので、感電を防止でき、電線（１１Ａ〜１１Ｃ）に触り、電気柵９の電線（１１Ａ〜１１Ｃ）を潜り抜けることができる。【選択図】図５
2014050330.tif 000002
【特許請求の範囲】
【請求項１】
導電性の本体と、
該本体が地面に接触したときに同本体を電気柵の電線と電気的に接続可能に構成された導電性の接続部とを備える
感電防止具。
【請求項２】
前記本体は、金網であり、
該金網に着脱可能に取付けられ、前記金網の一辺の長さよりも長い絶縁性の棒状物を備える
請求項１に記載の感電防止具。
【請求項３】
前記金網は、所定の力で折り畳み可能な柔軟性を有する
請求項２に記載の感電防止具。
【請求項４】
前記本体は、直径１〜２０ｍｍの金属線である
請求項１に記載の感電防止具。
【請求項５】
前記本体は、複数の構成体と、
該構成体を互いに回動可能に連結する連結部とを有する
請求項１〜４のいずれか１つに記載の感電防止具。
【請求項６】
複数の前記構成体は、互いに略同じ形状を有する縦長のものであり、
第１の構成体の一方の端部と、該第１の構成体に隣接する第２の構成体の端部が連結され、同第１の構成体の他方の端部と、同第１の構成体に隣接する第３の構成体の端部が連結された
請求項５に記載の感電防止具。
【請求項７】
前記本体は、伸縮可能に構成された
請求項１に記載の感電防止具。
【請求項８】
導電性の本体を有する感電防止具の同本体を地面に接触させる工程と、
導電性の本体を有する感電防止具の同本体を電気柵の電線と電気的に接続する工程と、
地面に接触した前記本体に乗る工程とを備える
感電防止方法。
【発明の詳細な説明】
【技術分野】
【０００１】
本発明は感電防止具および感電防止方法に関する。詳しくは、例えば野生動物から田畑を守るための電気柵を通り抜ける際に感電しないようにする感電防止具および感電防止方法に係るものである。
【背景技術】
【０００２】
山間地域の農村地帯では、鹿や猪などの野生動物が田畑へ侵入することを防止するために、電気柵が多く使用されている。
【０００３】
電気柵は、田畑の周囲に張り巡らせた裸電線に、電源装置内の電圧発生器から発生した電圧が印加され、この裸電線に接触した鹿や猪などの野生動物を、印加された電圧の電撃によって撃退するための柵である。
【０００４】
図６に一般的な電気柵を示す。
図６に示すように、従来の電気柵１００は、田畑の周囲に打設された支柱１０２に取付けられた碍子（１０１ａ〜１０１ｄ）に係止されて張設された裸電線（１０３ａ〜１０３ｄ）を備える。
【０００５】
また、裸電線（１０３ａ〜１０３ｄ）は、約５０ｍごとに裸電線からなる上下結線１０４で結線される。
【０００６】
さらに、裸電線（１０３ａ〜１０３ｄ）のうち地表に一番近い１段目の裸電線１０３ｄは、地表から約２０ｃｍの高さに位置しており、２段目の裸電線１０３ｃは裸電線１０３ｄから上方へ約２０ｃｍの高さに位置しており、３段目の裸電線１０３ｂは裸電線１０３ｃから上方へ約４０ｃｍの高さに位置しており、４段目の裸電線１０３ａは裸電線１０３ｂから上方へ約５０ｃｍの高さに位置する。
【０００７】
また、張設された裸電線（１０３ａ〜１０３ｄ）に印加される所定の電圧を発生する電圧発生器を有する電源装置１０５が、裸電線１０３ｃに電気的に接続されている。
【０００８】
鹿や猪などが、このような電気柵１００で囲まれた田畑に侵入しようとして、張設された裸電線（１０３ａ〜１０３ｄ）に接触すると、鹿や猪などには、図６の矢印のように電源装置１０５の出力端子１０６、電源装置１０５の出力線１０７、裸電線１０３ｃ、上下結線１０４、裸電線（１０３ａ、１０３ｂおよび１０３ｄ）、鹿や猪などの野生動物１０８、地中１０９、アース棒１１０、アース線１１１、そしてアース端子１１２の順路で、動物や人間などに、衝撃を与えることができるほど高い電流（衝撃電流）が流れる。
【０００９】
これによって、鹿や猪などの野生動物１０８は、電撃を受けて撃退される。
【００１０】
ところで、この電気柵１００への通電中に、田畑に人が入る必要が発生する場合がある。それは、除草や施肥、その他の場合である。この場合、通電中の数段の裸電線（１０３ａ〜１０３ｄ）の隙間を掻い潜り、田畑に入らなければならない。しかし、当然ながら図７に示すように、人は裸電線（１０３ａ〜１０３ｄ）に接触するので、電撃を受けてしまい容易に田畑へ入ることができない。
【００１１】
そこで、通電中に人が田畑へ入るために、図８に示すようなゲートと呼ばれる器具が使用される場合がある。
【００１２】
図８に示すように、絶縁性の材料で筒状に形成された器具１２０の略中央部に長手方向に挿通された導電線の一端は、フック状に加工された金属片１２１に電気的に接続されている。
【００１３】
また、フック状の金属片１２１は、受金具１２５に引っ掛けられて、その受金具１２５は裸電線１２６に電気的に接続されている。
【００１４】
また、導電線の他端は、円状に加工された金属片１２２に電気的に接続されている。また、円状の金属片１２２には、螺旋状のスプリング１２３が取付けられ、そのスプリング１２３には裸電線１２４が接続されている。
【００１５】
このようにして、裸電線１２６と裸電線１２４は、ゲートを介して電気的に接続された状態である。
また、図９に示すように、ゲートは、張設された裸電線（１０３ａ〜１０３ｄ）の各段に取付けられている。
【００１６】
次に、ゲートの使用法は以下のとおりである。
人が田畑に侵入しようとする場合、図１０に示すように、絶縁性の材料で筒状に形成された器具１２０を手で握り、フック状の金属片１２１を受金具１２５から取り外し、通電を遮断する。
【００１７】
そして、図１０に示すように、ゲートが取外された場所から、人は田畑へ侵入する。
【００１８】
また、例えば特許文献１には、図１１に示すような電気柵の出入り口が記載されている。即ち、特許文献１に記載された電気柵の出入り口の構成は、次のとおりである。
【００１９】
一対の本体支柱（２０３Ａ、２０３Ｂ）の一方の本体支柱２０３Ａに、ネット２０２を張った本体枠（２０１Ａ〜２０１Ｄ）を構成する左右枠の一方の枠２０１Ｃを蝶着部（２０４Ａ、２０４Ｂ）により開閉可能に支持し、他方の本体支柱２０３Ｂに、左右枠の他方の枠２０１Ａを固定する手段２０５が設けられている。
【００２０】
また、左右枠（２０１Ａ、２０１Ｃ）の上部の裸電線（２０８Ａ〜２０８Ｄ）は、蝶着部（２０４Ａ、２０４Ｂ）を設けた左右枠の一方の枠２０１Ｃ側の裸電線（２０９Ａ〜２０９Ｄ）と給電用電線（２１０Ａ〜２１０Ｄ）によって電気的に接続する。
【００２１】
また、特許文献１に記載の電気柵の出入り口の使用法は以下のとおりである。
本体枠２０１Ａを固定する手段２０５の固定を解除し、本体枠を手前に引けば、蝶着部（２０４Ａ、２０４Ｂ）を軸に本体枠２０１が開き、自由に出入りができる。閉めるときは、本体枠２０１を閉じた後、本体枠２０１Ａを再度、固定する手段２０５で固定する。
【先行技術文献】
【特許文献】
【００２２】
【特許文献１】特開平１１−２０６３０５号公報
【発明の概要】
【発明が解決しようとする課題】
【００２３】
このように、電気柵では、ゲートを取外したり、本体枠を開いたりして、電気柵で囲まれた田畑に人が感電することなく侵入できるが、感電せずに侵入できるのは、ゲートや出入り口（以下、「ゲート等」）の設置場所からだけであり、任意の場所から田畑へ侵入することができなかった。
【００２４】
また、周囲５００ｍに張り巡らされた電気柵において、ゲート等の設置箇所は通常２〜３箇所である。
【００２５】
この場合、田畑の任意の場所に侵入するには、ゲート等の設置箇所まで移動し、ゲートの接続を図１０のように解除したり、本体枠の固定を解除したりして、その位置から田畑に侵入し、除草等の作業終了後、ゲート等から電気柵の外に出て、再び、ゲートの接続や本体枠の固定を行なわなければならない。
【００２６】
従って、電気柵で囲まれた田畑への侵入に時間と労力がかかり、不便である。
【００２７】
また、ゲート等の設置箇所を増やすことも考えられるが、ゲート等の設置箇所を増やすと、費用が増大してしまい、さらに、碍子（１０１ａ〜１０１ｄ）に裸電線（１０３ａ〜１０３ｄ）を係止する場合に比べて、ゲート等の設置には多くの手間がかかる。
【００２８】
また、ゲート等を全く使用しない場合もあり、この場合はさらに不便である。
この場合、田畑の任意の場所に侵入するには、電気柵１００の裸電線（１０３ａ〜１０３ｄ）に沿って、電源装置１０５の設置場所まで移動し、電源装置１０５の電源スイッチをオフにして通電を止める。
【００２９】
その後、侵入すべき場所に戻り、数段の裸電線（１０３ａ〜１０３ｄ）の隙間を掻い潜り、田畑へ侵入する。除草作業等の終了後、再び数段の裸電線（１０３ａ〜１０３ｄ）の隙間を掻い潜り、電気柵１００の外に出て、更に、電源装置１０５の設置場所まで移動し、電源装置１０５の電源スイッチをオンにしなければならない。
【００３０】
本発明は、以上の点に鑑みて創案されたものであり、通電状態の電気柵を人が所望の位置で通り抜けようとするときに人が感電することを防止できる感電防止具および感電防止方法を提供することを目的とする。
【課題を解決するための手段】
【００３１】
上記の目的を達成するために、本発明の感電防止具は、導電性の本体と、該本体が地面に接触したときに同本体を電気柵の電線と電気的に接続可能に構成された導電性の接続部とを備える。
【００３２】
本発明で言う「地面に接触」とは、人が本体の上に両足で乗ることができる程度に地面に接触していることを意味する。
【００３３】
ここで、導電性の本体が地面に接触したときに本体を電気柵の電線と電気的に接続可能に構成された導電性の接続部によって、本体が接続部を介して電気柵の電線と電気的に接続した状態で、導電性の本体が地面に置かれるなど地面と接触できるので、この状態が一種のアース状態であり、この時点で電気柵の電線に流れる電圧が大きく低下し、また、本体が接続部を介して電気柵の電線と電気的に接続しているときに、地面に置かれた本体に人が両足で乗って、電線に人が乗った状態と同じ状態にすることができる。
【００３４】
また、本発明の感電防止具において、本体は、金網であり、金網に着脱可能に取付けられ、金網の一辺の長さよりも長い絶縁性の棒状物を備える場合、例えば電気柵の電線付近に雑草が生えていても、絶縁性の棒状物は金網の一辺の長さよりも長いので、金網から突き出た棒状物の部分を掴んで、棒状物で雑草を押しのけながら金網を地面に置くことができる。
【００３５】
また、本体が金網であるときに、金網は、所定の力で折り畳み可能な柔軟性を有する場合、所定の力例えば人が手で加えることができる力で金網を折り畳むことができるので、持ち運びに便利である。
【００３６】
また、本発明の感電防止具において、本体は、直径１〜２０ｍｍの金属線である場合、本体が金網であるときよりも持ち運びやすい。
【００３７】
また、本発明の感電防止具において、本体は、複数の構成体と、構成体を互いに回動可能に連結する連結部とを有する場合、本体が人の手では曲げられないような硬さを有し、さらに持ち運び難い大きさを有していても、連結部を中心に構成体を回動させて折り畳むことができるので、持ち運びやすくすることができる。
【００３８】
また、本体は、複数の構成体と、構成体を互いに回動可能に連結する連結部とを有するときに、複数の構成体は、互いに略同じ形状を有する縦長のものであり、第１の構成体の一方の端部と、第１の構成体に隣接する第２の構成体の端部が連結され、第１の構成体の他方の端部と、第１の構成体に隣接する第３の構成体の端部が連結されたものとすることができる。
【００３９】
また、本発明の感電防止具において、本体は、伸縮可能に構成されたものとすることができる。
【００４０】
また、上記の目的を達成するために、本発明の感電防止方法は、導電性の本体を有する感電防止具の同本体を地面に接触させる工程と、導電性の本体を有する感電防止具の同本体を電気柵の電線と電気的に接続する工程と、地面に接触した前記本体に乗る工程とを備える。
【００４１】
ここで、本体が電気柵の電線と電気的に接続しているときに、地面に接触させた、すなわち地面に置かれた本体に人が両足で乗ることで、電線に人が乗った状態と同じ状態にすることができる。
【発明の効果】
【００４２】
本発明に係る感電防止具は、通電状態の電気柵を人が所望の位置で通り抜けようとするときに人が感電することを防止できる。
本発明に係る感電防止方法は、通電状態の電気柵を人が所望の位置で通り抜けようとするときに人が感電することを防止できる。
【図面の簡単な説明】
【００４３】
【図１】本発明を適用した感電防止具の第１の実施態様を示す概略図である。
【図２】本発明を適用した感電防止具の第２の実施態様を示す概略図である。
【図３】本発明を適用した感電防止具の第３の実施態様を示す概略図である。
【図４】本発明を適用した感電防止具の第４の実施態様を示す、概略側面図（ａ）、概略平面図（ｂ）および、連結部を中心に回動させた状態の概略平面図（ｃ）ある。
【図５】本発明を適用した感電防止具を電気柵に使用した例を示す概略図である。
【図６】電気柵の設置態様を示す概略図である。
【図７】人が通電中の電気柵を掻い潜る様子を示す概略図である。
【図８】電気柵に使用されるゲートの構成を示す概略図である。
【図９】図８に示されたゲートを使用した電気柵を示す概略図である。
【図１０】電気柵のゲートが取外された状態を示す概略図である。
【図１１】電気柵の従来の出入り口の構成を示す概略図である。
【発明を実施するための形態】
【００４４】
以下、本発明の実施の形態について図面を参照しながら説明し、本発明の理解に供する。
図１は、本発明を適用した感電防止具の第１の実施態様を示す概略図である。
【００４５】
図１に示す本発明の感電防止具１は、金網（本体の一例である。）２と、金網２が地面に接触したときに金網２を電気柵の電線と電気的に接続可能に構成された導電性の接続部３と、金網２に着脱可能に取付けられ、金網２の一辺の長さよりも長い絶縁棒（絶縁性の棒状物の一例である。）４とを備える。
【００４６】
ここで、接続部３は、金網２が地面に接触したときに金網２を電気柵の電線と電気的に接続可能に構成されたものだが、これはすなわち、電気柵の最下段の電線と、人が両足で乗ることができる程度に地面に置かれた本体（金網）とを電気的に接続できるほどの長さを有するということである。この点は、他の実施態様でも同じである。
【００４７】
また、金網２は、所定の力例えば人が手で加えることができる力で折り畳み可能な柔軟性を有する。
また、絶縁棒４は、金網２の複数の穴に通されており、これにより絶縁棒４は、金網２に着脱可能に取付けられている。
【００４８】
また、接続部３は、電気柵の電線を挟んで取付け可能なクリップ３Ａと、クリップ３Ａに接続された導線３Ｂとを有しており、導線３Ｂが、金網２に接続されている。
また、クリップ３Ａの表面はプラスチックなど絶縁性の物質で構成されているが、内部は導電性の物質で構成されている。
【００４９】
ここで、本発明の感電防止具が、導電性の本体と、本体が地面に接触したときに本体を電気柵の電線と電気的に接続可能に構成された導電性の接続部とを備えていれば、必ずしも絶縁棒を備えていなくてもよい。
【００５０】
しかし、本発明の感電防止具が絶縁棒を備えていれば、例えば電気柵の電線付近に雑草が生えていても、絶縁棒は金網の一辺の長さよりも長いので、金網から突き出た絶縁棒の部分を掴んで、絶縁棒で雑草を押しのけながら金網を地面に置くことができるので好ましい。
【００５１】
また、本発明の感電防止具が、導電性の本体と、本体が地面に接触したときに本体を電気柵の電線と電気的に接続可能に構成された導電性の接続部とを備えていれば、必ずしも金網は、所定の力で折り畳み可能な柔軟性を有するものでなくてもよい。
【００５２】
しかし、金網が、所定の力で折り畳み可能な柔軟性を有していれば、所定の力例えば人が手で加えることができる力で金網を折り畳むことができるので、持ち運びに便利であり好ましい。
【００５３】
また、図１に示す例では、接続部３は１つであるが、２つ以上であってもよいし、また、絶縁棒３は２つであるが、どちらか片方だけでもよい。
【００５４】
また、接続部は、本体が地面に接触したときに本体を電気柵の電線と電気的に接続可能に構成された導電性のものであれば、必ずしもクリップを有していなくてもよいが、クリップを有していれば、電線に接続しやすいので好ましい。
【００５５】
図２は、本発明を適用した感電防止具の第２の実施態様を示す概略図である。
図２に示す本発明の感電防止具１は、金網２と、金網２に接続された導電性の接続部３を備えているが、この金網２は、第１の金網構成体２Ａと、第２の金網構成体２Ｂと、第３の金網構成体２Ｃで構成されている。
また、第１の金網構成体２Ａと、第２の金網構成体２Ｂと、第３の金網構成体２Ｃは互いに略同じ大きさである。
【００５６】
また、図２に示す本発明の感電防止具１は、第１の金網構成体２Ａと、第２の金網構成体２Ｂと、第３の金網構成体２Ｃとを互いに回動可能に連結するヒンジ（連結部の一例である。）５を備える。
【００５７】
また、接続部３は、第１の実施態様と同様にクリップ３Ａと、クリップ３Ａに接続された導線３Ｂとを有しており、導線３Ｂが、金網２（第２の金網構成体２Ｂ）に接続されている。
【００５８】
ここで、金網２を構成する構成体は３つであるが、必ずしも３つでなくてもよく、２つでもよいし、また、４つ以上でもよい。
【００５９】
図３は、本発明を適用した感電防止具の第３の実施態様を示す概略図である。
図３に示す本発明の感電防止具１は、金属線（本体の一例である。）６と、金属線６に接続された導電性の接続部３とを備える。
【００６０】
また、金属線６の長さ、および直径は特に限定されないが、直径は例えば１〜２０ｍｍとすることができる。
【００６１】
また、第３の実施態様の第１の変形例として、金属線の代わりに、金属製のチェーン（鎖）を用いることもできる。
また、第３の実施態様の第２の変形例として、金属線の代わりに、互いに径が異なる複数の筒状体をスライド可能に互いに連結させて、本体を伸縮可能に構成することもできる。
【００６２】
図４は、本発明を適用した感電防止具の第４の実施態様を示す、概略側面図（ａ）、概略平面図（ｂ）および、連結部を中心に回動させた状態の概略平面図（ｃ）ある。
【００６３】
図４に示す本発明の感電防止具１は、金属プレート（本体の一例である。）７と、金属プレート７に接続された導電性の接続部３を備えている。
ここで、金属プレート７は、第１のプレート構成体７Ａと、第２のプレート構成体７Ｂと、第３のプレート構成体７Ｃで構成されている。
【００６４】
また、第１のプレート構成体７Ａと、第２のプレート構成体７Ｂと、第３のプレート構成体７Ｃは、互いに略同じ形状を有する縦長のものであり、互いに略同じ大きさを有する。
【００６５】
また、図４（ａ）および図４（ｂ）に示すように、第１のプレート構成体７Ａの一方の端部の上面と、第１のプレート構成体７Ａに隣接する第２のプレート構成体７Ｂの端部の下面が、ねじ（連結部の一例である。）８で連結されている。
また、図４（ａ）および図４（ｂ）に示すように、第１のプレート構成体７Ａの他方の端部の下面と、第１のプレート構成体７Ａに隣接する第３のプレート構成体７Ｃの端部の上面が、ねじ８で連結されている。
【００６６】
また、図４（ｃ）に示すように、ねじ８を中心に、第１のプレート構成体７Ａと、第２のプレート構成体７Ｂと、第３のプレート構成体７Ｃは互いに回動することができ、折り畳み式定規のように、ねじ８を中心に回動させて、第１のプレート構成体７Ａと、第２のプレート構成体７Ｂと、第３のプレート構成体７Ｃを重ねてコンパクトにすることができる。
【００６７】
図５は、本発明を適用した感電防止具を電気柵に使用した例を示す概略図である。
ここで、図５に示す例は、本発明を適用した第１の実施態様の感電防止具１を使用した例である。
また、本発明を適用した感電防止具の使用方法は、本発明を適用した感電防止方法にも相当する。
【００６８】
ここで、電気柵９は一般的な電気柵であり、田畑の周囲に打設された支柱１０と、支柱１０に取付けられた第１の碍子１２Ａ、第２の碍子１２Ｂおよび第３の碍子１２Ｃと、第１の碍子１２Ａ、第２の碍子１２Ｂおよび第３の碍子１２Ｃにそれぞれ係止されて張設された、第１の電線１１Ａ、第２の電線１１Ｂおよび第３の電線１１Ｃを備える。
また、第１の電線１１Ａ、第２の電線１１Ｂおよび第３の電線１１Ｃは、裸電線からなる上下結線１３で結線されている。
【００６９】
本発明の感電防止具１の金網２を地面に置き、そして、金網２に接続した接続部３のクリップ３Ａを、電気柵９の最下段の電線である第３の電線１１Ｃに取付ける。
なお、接続部３のクリップ３Ａを第３の電線１１Ｃに取付けてから、本発明の感電防止具１の金網２を地面に置くこともできる。
【００７０】
これにより、第１の電線１１Ａ、第２の電線１１Ｂおよび第３の電線１１Ｃに加えられていた、動物や人に衝撃を与えることができるほど高い電圧（衝撃電圧）は、あまり衝撃を与えないほどの電圧まで低下する。
【００７１】
また、人が電気柵９の電線（１１Ａ〜１１Ｃ）を潜り抜け始めてから潜り抜け終わるまで、人の足が金網２の上にあることが好ましいので、金網２は電線（１１Ａ〜１１Ｃ）の真下に置く。
【００７２】
そして、金網２に両足を乗せ、両足が乗った状態であれば、人が電線上に両足で乗った状態と同じ状態になるので、感電を防止でき、電線（１１Ａ〜１１Ｃ）に触り、電気柵９の電線（１１Ａ〜１１Ｃ）を潜り抜けることができる。
【００７３】
以上のように、本発明の感電防止具は、導電性の本体が地面に接触したときに本体を電気柵の電線と電気的に接続可能に構成された導電性の接続部によって、本体が接続部を介して電気柵の電線と電気的に接続した状態で、導電性の本体が地面に置かれるなど地面と接触できるので、この状態が一種のアース状態であり、この時点で電気柵の電線に流れる電圧が大きく低下し、また、本体が接続部を介して電気柵の電線と電気的に接続しているときに、地面に置かれた本体に人が両足で乗って、電線に人が乗った状態と同じ状態にすることができる。
【００７４】
従って、本発明の感電防止具は、通電状態の電気柵を人が所望の位置で通り抜けようとするときに人が感電することを防止できる。
よって、本発明の感電防止具を用いれば、通電状態の電気柵の所望の位置を出入り口にすることができる。
【００７５】
また、本発明の感電防止方法も、本体が電気柵の電線と電気的に接続しているときに、地面に接触させた、すなわち地面に置かれた本体に人が両足で乗ることで、電線に人が乗った状態と同じ状態にすることができるので、通電状態の電気柵を人が所望の位置で通り抜けようとするときに人が感電することを防止できる。
【符号の説明】
【００７６】
１    感電防止具
２    金網
２Ａ  第１の金網構成体
２Ｂ  第２の金網構成体
２Ｃ  第３の金網構成体
３    接続部
３Ａ  クリップ
３Ｂ  導線
４    絶縁棒
５    ヒンジ
６    金属線
７    金属プレート
７Ａ  第１のプレート構成体
７Ｂ  第２のプレート構成体
７Ｃ  第３のプレート構成体
８    ねじ
９    電気柵
１０    支柱
１１Ａ  第１の電線
１１Ｂ  第２の電線
１１Ｃ  第３の電線
１２Ａ  第１の碍子
１２Ｂ  第２の碍子
１２Ｃ  第３の碍子
１３    上下結線
【図１】
2014050330.tif 000003
【図２】
2014050330.tif 000004
【図３】
2014050330.tif 000005
【図４】
2014050330.tif 000006
【図５】
2014050330.tif 000007
【図６】
2014050330.tif 000008
【図７】
2014050330.tif 000009
【図８】
2014050330.tif 000010
【図９】
2014050330.tif 000011
【図１０】
2014050330.tif 000012
【図１１】
2014050330.tif 000013
【手続補正書】
【提出日】平成24年10月19日(2012.10.19)
【手続補正１】
【補正対象書類名】特許請求の範囲
【補正対象項目名】請求項１
【補正方法】変更
【補正の内容】
【請求項１】
人が両足で乗ることができる程度以上の大きさであり導電性の本体と、
該本体が地面に接触したときに同本体を電気柵の電線と電気的に接続可能に構成された導電性の接続部とを備える
感電防止具。
【手続補正２】
【補正対象書類名】特許請求の範囲
【補正対象項目名】請求項８
【補正方法】変更
【補正の内容】
【請求項８】
人が両足で乗ることができる程度以上の大きさであり導電性の本体を有する感電防止具の同本体を地面に接触させる工程と、
人が両足で乗ることができる程度以上の大きさであり導電性の本体を有する感電防止具の同本体を電気柵の電線と電気的に接続する工程と、
地面に接触した前記本体に乗る工程とを備える
感電防止方法。